(57)【特許請求の範囲】
【請求項１】
下面にコ形溝を形成し、該コ形溝の左右側板の、先端部に係合突起を突設すると共に、略中央部に凹部を切設してその内縁左端部に係合突起を突設した鞘金を設ける一方、
先端部の左右側縁に係合凹部を形成し、後端部を係合突片とし、後部寄りにカム孔をあけた連結板を設け、
上記鞘金のコ形溝内に連結板を、その係合凹部を有する先端部を鞘金の先端部から設定寸法前方に突出すると共に後端部の係合突片を凹部の右端部に位置した状態に嵌挿し、底板で支持して取付け、
回転ノブの回転軸に固定した偏心カム板を上記連結板のカム孔に嵌合した状態で回転軸を鞘金の天板と底板に軸支して設けた連結金具であり、
該連結金具の回転ノブの設定角度回転で連結板を偏心カム板で押して後退摺動し、その係合凹部を後退すると同時に係合突片を凹部右端部内方へ突出することによって、パネル対パネル、またはパネル対ポールを連結して該連結状態を保持し、また、回転ノブの設定角度復帰回転で連結板を原位置に前進復帰しで前記連結状態を解くように備えた、
パネル、ポールの連結金具。
【請求項２】
パネルＡの上辺の左、右コーナー部に、三角形の係合溝を有する係合部を予じめ形成しておくものである、
請求項１のパネル、ポールの連結金具。
【請求項３】
連結金具の鞘金の左右側板の凹部は、パネル対パネルを連結するときに、両パネルの相対する係合部を一緒に嵌入するように形成した略長方形の凹部である、
請求項１のパネル、ポールの連結金具。
【請求項４】
ポールは金属４角柱材の４面に縦溝を形成し、該縦溝の左右辺を係合リムとした横断面Ｘ字変形のポールであり、該ポールの縦溝の左右の係合リムに、連結金具の連結板先端の係合凹部を係合するように備えたものである、
請求項１のパネル、ポールの連結金具。
【発明の詳細な説明】
【０００１】
【産業上の利用分野】
パネル、ポールを連結して種々のオフィス空間を自由に創出するにつき、パネル対パネル、パネル対ポールの上辺コーナー部同志を連結するのに用いる連結金具に係り、特に、パネル、ポールの上辺コーナー部同志を強く引き寄せ合い乍ら密着状態に連結して該連結状態を保持することによって、連結後に隙間、がたつき等の生じる恐れがない、パネル、ポールの連結金具を提供する。
【０００２】
【従来の課題】
近時、各種のパネル（間仕切パネル、パーテーション）でオフィス内を自在に区切って種々の機能的なオフィス空間を自由に創出することが盛んに行われている。
【０００３】
これらはオフィスに搬入し、現場作業でパネル対パネル、パネル対ポールを連結組み立てて行っており、その連結は図１２の（イ）に示すようにパネル対パネルを直線的に連結する他、ポールを介在してＬ形（ロ）、Ｔ形（３方）（ハ）、Ｙ形（３方）（ニ）、Ｘ形（４方）（ホ）、及び、段違い（へ）等の種々の連結を行って、目的とする形状スペースを自在に形成するものであり、この点においては本発明も同じである。
【０００４】
しかして、上記パネル対パネル、パネル対ポールの連結は、従来最も一般的な手段として、パネルの下辺コーナー部に備えたフックでパネル対パネル、パネル対ポールの下辺コーナー部同志を連結したのち（この点は本発明も同じ）、パネルＡ対パネルＡ、パネルＡ対ポールＢの上辺コーナー部同志を長方形板片１０１、Ｌ形板片１０２等の連結板片をねじ１０３止めして行っている。（図１３、１４参照）
【０００５】
ところが、上記従来の連結板片のねじ止めによる連結は、ねじ止め位置が製作上、作業上等の理由から必ずしも精密ではなく、また、調節機能もないため、連結後に隙間やがたつきを生じることが多々あって、その改良が強く要望されていた。
【０００６】
そこで、近時はパネル対パネル、パネル対ポールの各上辺コーナー部を連結するにつき、連結する上辺コーナー部同志を強く引き寄せあって密着した状態に連結し該連結状態を保持する有効な手段の提供が大きな課題とされてきたものであり、本発明はその課題を有効に解決したものである。
【０００７】
【課題を解決する手段】
即ち本発明は、下面にコ形溝を形成し、該コ形溝の左右側板の、先端部に係合突起を突設すると共に、略中央部に凹部を切設してその内縁左端部に係合突起を突設した鞘金を設ける一方、
【０００８】
先端部の左右側縁に係合凹部を形成し、後端部を係合突片とし、後部寄りにカム孔をあけた連結板を設け、
【０００９】
上記鞘金のコ形溝内に連結板を、その係合凹部を有する先端部を鞘金の先端部から設定寸法前方に突出すると共に後端部の係合突片を凹部の右端部に位置した状態に嵌挿し、底板で支持して取付け、
【００１０】
回転ノブの回転軸に固定した偏心カム板を上記連結板のカム孔に嵌合した状態で回転軸を鞘金の天板と底板に軸支して設けた連結金具であり、
【００１１】
該連結金具の回転ノブの設定角度回転で連結板を偏心カム板で押して後退摺動し、その係合凹部を後退すると同時に係合突片を凹部右端部内方へ突出することによって、パネル対パネル、またはパネル対ポールを連結して該連結状態を保持し、また、回転ノブの設定角度復帰回転で連結板を原位置に前進復帰して前記連結状態を解くように備えた、パネル、ポールの連結金具によって課題を解決したものである。
【００１２】
【実施例】
次に、本発明の実施例を図面につき説明すると、下面にコ形溝２を形成し、該コ形溝２の左右側板３の、先端部に係合突起ａを突設すると共に、略中央部に凹部４を切設してその内縁左端部に係合突起ｂを突設した鞘金１を設ける一方、
【００１３】
先端部の左右側縁に係合凹部ｃを形成し、後端部を係合突片ｄとし、後部寄りにカム孔５をあけた連結板６を設け、
【００１４】
上記鞘金のコ形溝内に連結板６を、その係合凹部ｃを有する先端部を鞘金１の先端部から設定寸法前方に突出すると共に、後端部の係合突片ｄを凹部４の右端部に位置した状態に嵌挿し、底板７で支持して取付け、
【００１５】
回転ノブ８の回転軸９に固定した偏心カム板１０を上記連結板６のカム孔５に嵌合した状態で回転軸９を鞘金１の天板１１と底板７に軸支して設けた連結金具Ｃであり、
【００１６】
該連結金具Ｃの回転ノブ８の設定角度（例、１８０°）回転で連結板６を偏心カム板１０で押して後退摺動し、その係合凹部ｃを後退すると同時に係合突片ｄを凹部４右端内方へ突出することによって、パネルＡ対パネルＡ、またはパネルＡ対ポールＢを連結して該連結状態を保持し、また、回転ノブ８の設定角度（例、１８０°）復帰回転で連結板６を原位置に前進復帰して前記連結状態を解くように備えた、
パネル、ポールの連結金具Ｃである。
【００１７】
なお、本発明は、上記連結金具を設ける他、パネルＡの上辺の左、右コーナー部に、三角形の係合溝ｅを有する係合部１２を予じめ形成しておくものであり、
【００１８】
上記連結金具Ｃの鞘金１の凹部４は、パネルＡ対パネルＡを連結するときに、パネルＡ、Ａの相対する係合部１２、１２を一緒に嵌入するように形成した略長方形の凹部である。
【００１９】
ポールＢは金属４角柱材の４面に縦溝１３を形成し、該縦溝の左右辺を係合リムｆとした横断面Ｘ字変形のポールであり、（図１１参照）
【００２０】
該ポールＢの縦溝１３の左右の係合リムｆに、連結金具Ｃの連結板６の係合凹部ｃを係合するように備えたものである。
【００２１】
【作用】
「パネルＡ対パネルＡの連結の場合」（図６、図７参照）
パネルＡ、Ａの下辺コーナー部相互を、一方のパネルＡのフック１５を他方のパネルＡの小軸に引っ掛ける等によって、連結したのち、上辺のカバー１４のコーナー部をあけて、本発明連結金具Ｃを挿入し、その鞘金１の凹部４にパネルＡ、Ａの係合部１２、１２を嵌入し、左側のパネルＡの係合溝ｅに凹部４の係合突起ｂを係合する一方、右側のパネルＡの係合溝ｅに連結板６の係合突片ｄを相対せしめる。
【００２２】
次いで、回転ノブ８を１８０°回転すると、その偏心カム板１０が１８０°回転し連結板６のカム孔５の内周面を押して、連結板６を偏心カム板１０の偏心寸法分後退摺動し、
【００２３】
よって、連結板６の係合突片ｄが右側のパネルＡの係合溝ｅに係合すると同時に左側のパネルＡの方向へ押圧動して右側のパネルＡを左側のパネルＡに押し付けて、換言すれば、パネルＡ、Ａが互いに強く引き寄せ合って密着した状態に連結して、該連結状態を保持する。
【００２４】
また、回転ノブ８を上記と逆方向に１８０°回転すると、連結板６が原位置に前進復帰してその係合突片ｄも前進復帰するため、パネルＡ、Ａの前記連結状態が解かれる。
【００２５】
「パネルＡとポールＢの連結の場合」（図８、図９参照）
連結金具Ｃの連結板６の係合凹部ｃを斜めにしてポールＢの縦溝１３内に挿入したのち、水平に戻して縦溝の左右の係合リムｆに係合凹部ｃを係合し、次いでパネルＡの係合部１２の係合溝ｅに鞘金１の先端の係合突起ａを係合する。
【００２６】
回転ノブ８を１８０°回転すると、その偏心カム板１０が１８０°回転し連結板６のカム孔５の内周面を押して、連結板６を偏心カム板１０の偏心寸法分後退摺動し、
【００２７】
前記の如く連結板６の先端の係合凹部ｃをポールＢの係合リムｆに係合してあるため、ポールＢをパネルＡの方向へ引き寄せて、換言すれば、パネルＡとポールＢが互いに強く引き寄せ合って密着した状態に連結して該連結状態を保持する。
【００２８】
また、回転ノブ８を上記と逆方向に１８０°回転すると、連結板６が原位置に前進復帰し、パネルＡの係合溝ｅと鞘金１の係合突起ａの係合が外れるので、連結金具を斜方向に回してポールＢの係合リムｆと係合凹部ｃの係合を外して、パネルＡとポールＢの前記連結状態を解くものである。
【００２９】
【効果】
一方のパネルＡの係合溝ｅに連結金具ｃの係合突起ｂを係合する一方、連結金具Ｃの係合突片ｄを他方のパネルＡの係合溝ｅに係合するか、または連結板の係合凹部ｃをポールＢの係合リムｆに係合して、回転ノブを設定角度回転するだけで、パネルＡ対パネルＡ、またはパネルＡ対ポールＢを相互に強く引き寄せ密着した状態に簡単強固に連結して該連結状態を保持でき、また、回転ノブを逆回転するだけで上記連結状態を簡単に解き得る、構造簡単で極めて使い易い連結金具を提供して、パネルの現場連結組み立てを高能率化し得る秀れた効果がある。
【００３０】
特に、パネル対パネル、またはパネル対ポールを連結金具の作用で相互に強く引き寄せ合い密着した状態に連結して該連結状態を保持するようにしたので、パネル対パネル、パネル対ポールの間に隙間やがたつきの生じる恐れなく精密強固に連結して該連結状態を保持し得て、従来の課題を有効に解決し得た。
【００３１】
連結金具を鞘金、連結板、及び回転ノブの３点で構成できて、強固な製品を安価に提供し得る。
【図面の簡単な説明】
【図１】本発明実施例連結金具の正面図。
【図２】平面図。
【図３】右側面図。
【図４】図２のＧ−Ｇ線矢視断面図。
【図５】図１のＨ−Ｈ線矢視断面図。
【図６】連結金具ＣによるパネルＡ対パネルＡの連結の説明断面図で、連結前の図。
【図７】図６の連結後を示す説明断面図。
【図８】連結金具ＣによるパネルＡ対ポールＢの連結の説明断面図で、連結前の図。
【図９】図８の連結後を示す説明断面図。
【図１０】パネルＡとポールＢの構成概略及び配置を示す正面図。
【図１１】ポールの拡大横断面図。
【図１２】パネルとポールの連結実施例を示す一部斜視図で、（イ）はパネル対パネルを直線的連結、（ロ）はポールを介在したＬ形連結、（ハ）はポールを介在したＴ形（３方）連結、（ニ）は三角ポールを介在したＹ形（３方）連結、（ホ）はポールを介在したＸ形（４方）連結、（ヘ）はポールを介在し、高さの異なるパネルを段違いに連結したＬ形連結の図である。
【図１３】従来の連結板片のねじ止めによるパネル対パネルの連結手段を示す一部斜視図。
【図１４】従来の連結板片のねじ止めによるパネル対ポールの連結手段を示す一部斜視図。
【符号の説明】
Ａ  パネル
Ｂ  ポール
Ｃ  本発明連結金具
ａ  係合突起（鞘金先端部）
ｂ  係合突起（凹部内左端部）
ｃ  係合凹部（連結板の先端部）
ｄ  係合突片（連結板の後端部）
ｅ  係合溝（パネルの係合部）
ｆ  係合リム（ポールの縦溝）
１  鞘金
２  コ形溝
３  左右側板
４  凹部
５  カム孔
６  連結板
７  底板
８  回転ノブ
９  回転軸
１０  偏心カム板
１１  天板
１２  係合部（パネル）
１３  縦溝（ポール）
１４  トップカバー
１５  フック
【図１】
0003553240.tif 000002
【図２】
0003553240.tif 000003
【図３】
0003553240.tif 000004
【図４】
0003553240.tif 000005
【図５】
0003553240.tif 000006
【図６】
0003553240.tif 000007
【図７】
0003553240.tif 000008
【図８】
0003553240.tif 000009
【図９】
0003553240.tif 000010
【図１０】
0003553240.tif 000011
【図１１】
0003553240.tif 000012
【図１２】
0003553240.tif 000013
【図１３】
0003553240.tif 000014
【図１４】
0003553240.tif 000015